(57)【要約】【課題】タブレット型携帯情報端末４０を手で保持しなくても、停車中の車両のステアリングホイール３０に立て掛けることができ、かつ嵩張らず、車内に常備するに好適な簡素な構造のタブレット型携帯情報端末用スタンド１０を提供すること。【解決手段】停車中の車両のステアリングホイール３０，５０のリム３１，５５の下部円弧部分３１ａ，５５ａに平板状の本体１１を掛止し、タブレット型携帯情報端末４０の側縁を横溝２０，２１，２２に係止することによりタブレット型携帯情報端末４０をステアリングホイール３０，５０のハブ３６，５４に立て掛ける。【選択図】図４
2012027629.tif 000002
【特許請求の範囲】
【請求項１】
本体が平板形状であって、該本体に停車中の車両のステアリングホイールのリムの下部円弧部分を差し込み可能な開口と、開口内に突出するように設けられ、開口に差し込まれた前記円弧部分の内周部に引っ掛けることにより前記本体を前記円弧部分に掛止できる掛止凸片と、前記円弧部分に前記本体を掛止したとき掛止凸片の手前側に位置し、タブレット型携帯情報端末の側縁が係止可能な係止部とを形成し、
前記円弧部分に前記本体を掛止し、タブレット型携帯情報端末の側縁を係止部に係止することによりタブレット型携帯情報端末をステアリングホイールに立て掛けることを可能にしたことを特徴とするタブレット型携帯情報端末用スタンド。
【請求項２】
前記係止部として本体に溝を形成したことを特徴とする請求項１に記載のタブレット型携帯情報端末用スタンド。
【請求項３】
前記溝を複数本、平行に形成したことを特徴とする請求項２に記載のタブレット型携帯情報端末用スタンド。
【発明の詳細な説明】
【技術分野】
【０００１】
本発明はタブレット型携帯情報端末用スタンドに関し、より詳しくはタブレット型携帯情報端末を停車中の車両のステアリングホイールに立て掛けることのできるスタンドに関する。
【背景技術】
【０００２】
近時、大型の液晶ディスプレイと、電子書籍を読むことのできるアプリケーションソフトを備えたタブレット型携帯情報端末が広く市場に供されている。この種のタブレット型携帯情報端末では、液晶ディスプレイがマルチタッチタッチパネルを兼用しているので、タッチパネルを操作して電子書籍をダウンロードし、液晶ディスプレイ上に書籍の内容を表示し、あるいはタッチパネル操作で書籍のページをめくって読み進めることができる。
【先行技術文献】
【特許文献】
【０００３】
【特許文献１】特開２００９−２１１７０６号公報
【発明の概要】
【発明が解決しようとする課題】
【０００４】
ところで、休息時などに運転者が停車して運転席に着座したまま、タブレット型携帯情報端末を利用して電子書籍を読もうとする場合、タブレット型携帯情報端末をステアリングホイールに立掛けることができれば、タッチパネル操作が容易になるので、快適に読書ができる。
【０００５】
しかしながら、現状ではタブレット型携帯情報端末をステアリングホイールに立掛ける手段が存在しない。そのため、運転者は運転席に着座したままで電子書籍を読もうとするとき、タブレット型携帯情報端末を一方の手で持ってステアリングホイールに押し付け、他方の手でタッチパネルの操作を行う以外に方法がない。しかし、この方法では運転者は読書中、常に手でタブレット型携帯情報端末を保持しなければいけないので、運転席での読書は煩わしさから逃れることができない。
【０００６】
本発明はかかる点に鑑み、タブレット型携帯情報端末を手で保持しなくても、停車中の車両のステアリングホイールに立て掛けることができ、かつ嵩張らず、車内に常備するに好適な簡素な構造のタブレット型携帯情報端末用スタンドを提供することを目的とする。
【課題を解決するための手段】
【０００７】
本発明に係るタブレット型携帯情報端末用スタンドは、本体が平板形状であって、該本体に停車中の車両のステアリングホイールのリムの下部円弧部分を差し込み可能な開口と、開口内に突出するように設けられ、開口に差し込まれた前記円弧部分の内周部に引っ掛けることにより前記本体を前記円弧部分に掛止できる掛止凸片と、前記円弧部分に前記本体を掛止したとき掛止凸片の手前側に位置し、タブレット型携帯情報端末の側縁が係止可能な係止部とを形成し、
前記円弧部分に前記本体を掛止し、タブレット型携帯情報端末の側縁を係止部に係止することによりタブレット型携帯情報端末をステアリングホイールに立て掛けることを可能にしたことを特徴とする。
【０００８】
そして、好ましくは前記係止部として本体に溝を形成する。更にまた好ましくは、前記溝を複数本、平行に形成する。
【発明の効果】
【０００９】
本願発明に係るタブレット型携帯情報端末用スタンドを使えば、停車中の車両のステアリングホイールの下部円弧部分に本体を掛止し、タブレット型携帯情報端末の側縁を係止部に係止することによりタブレット型携帯情報端末をステアリングホイールに立て掛けることができる。従って、運転席に着座したまま読書を行うに際し、タブレット型携帯情報端末を片手で保持し続ける煩わしさから開放される。
【００１０】
また、本願発明に係るタブレット型携帯情報端末用スタンドは平板形状であるため、嵩張らず、僅かなスペースを利用して車内に常備でき、使い勝手が良い。
【００１１】
更にまた、平板に開口と、開口内に突出する凸片と、係止部を形成しただけの簡単な構造であるので、低コストで製造できる。
【００１２】
そして、係止部として、複数本の溝を形成することにより、タブレット型携帯情報端末をステアリングホイールに立掛けるとき、タブレット型携帯情報端末の側縁を係止させる溝を選択できる。これによりタブレット型携帯情報端末を読書し易い角度でステアリングホイールに立掛けることができるので、快適に読書できる。
【図面の簡単な説明】
【００１３】
【図１】本発明の第１実施例に係るタブレット型携帯情報端末用スタンドを示す平面図である。
【図２】図１の２−２線から切断した断面図である。
【図３】本発明の第１実施例に係るタブレット型携帯情報端末用スタンドをステアリングホイールに掛止した状態を示す説明図である。
【図４】ステアリングホイールに掛止したタブレット型携帯情報端末用スタンドにタブレット型携帯情報端末の下側縁部を係止して同端末をステアリングホイールに立掛けた状態を示す説明図である。
【図５】本発明の第１実施例に係るタブレット型携帯情報端末用スタンドを他のステアリングホイールに掛止した状態を示す説明図である。
【図６】本発明の第２実施例に係るタブレット型携帯情報端末用スタンドを示す斜視図である。
【図７】本発明の第３実施例に係るタブレット型携帯情報端末用スタンドを示す平面図である。
【実施例１】
【００１４】
以下に本発明を図面に基づき説明するに、図１及び図２には本発明の第１実施例に係るタブレット型携帯情報端末用スタンド１０が示されている。当該スタンド１０の本体１１は木製平板材から成り、略長方形の平面形状を有し、四隅１２〜１５には面取りが施されている。本体１１の前側縁部１６は緩やかに前方へ湾曲している。
【００１５】
本体１１の前側半分に左右方向に広がる横長の開口１７が形成されている。また、開口１７の後側縁部１８の中央部から開口１７内に突出するように半円形の掛止凸片１９が形成されている。更にまた、本体１１の後側半分には３本の横溝２０，２１，２２が等間隔で形成されている。各横溝２０，２１，２２は互い平行に本体１１の左右方向に延びている。
【００１６】
本実施例に係るタブレット型携帯情報端末用スタンド１０の構造は以上の通りであって、以下にその使用方法を図３〜図５に基づき説明する。運転者が停車時に運転席に着座したまま、タブレット型携帯情報端末を使って電子書籍を読む場合、停車中の車両のステアリングホイール３０のリム３１の下部円弧部分３１ａをスタンド本体１１の開口１７に差し込み、掛止凸片１９を円弧部分３１ａに引っ掛ける。開口１７及び掛止凸片１９は所要の形状、寸法を備えているので、掛止凸片１９を円弧部分３１ａに引っ掛けることにより、スタンド本体１１が図３に示すように車両の床面と略平行になるようにステアリングホイール３０のリム３１の下部円弧部分３１ａに掛止される。
【００１７】
次に、図４に示すようにステアリングホイール３０のリム３１の下部円弧部分３１ａに掛止したスタンド本体１１の3本の横溝２０，２１，２２の内の１本の横溝２０にブックサイズ[242.8mm(H)×189.7mm(W)×13.4mm(D)]のタブレット型携帯情報端末４０の下側縁部を係止する。
なお、各横溝２０，２１，２２はタブレット型携帯情報端末の下側縁部だけでなく、タブレット型携帯情報端末を横向きにしたときには左右の側縁部も係止できるように、所要の長さ、幅及び深さで形成されている。
【００１８】
ステアリングホイールの下部円弧部分に掛止したスタンドの横溝下側縁部を係止することにより、タブレット型携帯情報端末は図４に示すように、ステアリングホイールのハブに立掛けることができる。
【００１９】
ところで、図３及び図４に示すステアリングホイール３０は4本のスポーク３２〜３５備えている。この形式のステアリングホイール３０は車両が直進する中立操舵位置にあるとき、ハブ３６とリム３１の間に掛止凸片１９を差し込むことのできる空間３０ａが形成される。一方、図５に示すように、３本のスポーク５１，５２，５３を備えた形式のステアリングホイールでは、中立操舵位置にあるときハブ５４とリム５５の間に掛止凸片１９を差し込むことのできる空間が形成されない。そこで、図５に示すようにステアリングホイール５０を左右いずれか一方に回転させて中立操舵位置からずらす。こうすることにより、ハブ５４とリム５５の間に掛止凸片１９を差し込むことのできる空間５０ａが形成できるので、スタンド本体１１をリム５５の下部円弧部分５５ａに掛止できる。
【００２０】
以上説明したように、第１実施例に係るタブレット型携帯情報端末用スタンド１０を使えば、停車中の車両のステアリングホイール３０，５０のリム３１，５５の下部円弧部分３１ａ，５５ａに本体１１を掛止し、タブレット型携帯情報端末４０の側縁を横溝２０，２１，２２に係止することによりタブレット型携帯情報端末４０をステアリングホイール３０，５０のハブ３６，５４に立て掛けることができる。従って、運転席に着座したまま読書を行うに際し、タブレット型携帯情報端末４０を手で保持し続ける煩わしさから開放され、読書が容易になる。
【００２１】
タブレット型携帯情報端末用スタンド１０は平板形状であるため、嵩張らず、僅かなスペースを利用して車内に常備でき、使い勝手が良い。
【００２２】
平板上本体１１に開口１７と、掛止凸片１９と、横溝２０，２１，２２を形成しただけの簡単な構造であるので、低コストで製造できる。
【００２３】
複数本の溝２０，２１，２２を形成したので、タブレット型携帯情報端末４０をステアリングホイール３０に立掛けるとき、タブレット型携帯情報端末４０の側縁を係止させる横溝２０，２１，２２を選択できる。これによりタブレット型携帯情報端末４０を読書し易い角度でステアリングホイール３０，５０に立掛けることができる。
【実施例２】
【００２４】
第１実施例に係るタブレット型携帯情報端末用スタンド１０は、タブレット型携帯情報端末４０の側縁部を係止するため本体１１に横溝２０，２１，２２を形成したが、図６に示す第２実施例に係るタブレット型携帯情報端末用スタンド１０Ａは、横溝２０，２１，２２に代えて、タブレット型携帯情報端末４０の側縁部を係止する手段として３本の凸条２３，２４，２５を設けている。
なお、第２実施例に係るタブレット型携帯情報端末用スタンドの他の構成は第１実施例に係るタブレット型携帯情報端末用スタンド１０と同じであるので、同一の構成要素に同一の符号を付して説明を省略する。
【実施例３】
【００２５】
第１実施例及び第２実施例に係るタブレット型携帯情報端末用スタンドは、本体１１に横長の閉鎖した開口１７を形成したが、第３実施例に係るタブレット型携帯情報端末用スタンド１０Ｂは、開口１７の中央部に切欠部１７ａを形成することにより開口１７の形状を変えている。このように、開口１７の形状を変えたり、掛止凸片１９の形状を変えることによりスタンド１０Ｂのデザインに変化を与えることもできる。
なお、第３実施例に係るタブレット型携帯情報端末用スタンド１０Ｂの他の構成は第１実施例に係るタブレット型携帯情報端末用スタンド１０と同じであるので、同一の構成要素に同一の符号を付して説明を省略する。
【符号の説明】
【００２６】
１０，１０Ａ，１０Ｂ…タブレット型携帯情報端末用スタンド
１１…本体
１７…開口
１９…掛止凸片
２０，２１，２２…横溝
２３，２４，２５…凸条
３０…ステアリングホイール
３１…リム
３２，３３，３４，３５…スポーク
３６…ハブ
４０…タブレット型携帯情報端末
５０…ステアリングホイール
５１，５２，５３…スポーク
５４…ハブ
【図１】
2012027629.tif 000003
【図２】
2012027629.tif 000004
【図３】
2012027629.tif 000005
【図４】
2012027629.tif 000006
【図５】
2012027629.tif 000007
【図６】
2012027629.tif 000008
【図７】
2012027629.tif 000009